(57)【要約】無線通信システムにおいてセル再選択を実行するための技術が記載される。ユーザ機器（ＵＥ）は、まず、第１のセルにキャンプする。第１のセルにキャンプしている間、ＵＥは、第１のセルよりもより良好であると認識される第２および第３のセルを識別する。ＵＥは、第２のセルへキャンプするセル再選択を実行することなく、第１のセルから第２のセルへと移動する。ＵＥは、第２のセルへ移動した後、第２および／または第３のセルのうちの少なくとも１つのセル再選択パラメータを取得し、これらセル再選択パラメータに基づいて、第２および第３のセルのランキングを更新する。そしてＵＥは、更新されたランキングに基づいて、第１のセルから、第２または第３のセルへのセル再選択を実行する。例えば、第２のセルに実際にキャンプすることなく、第１のセルから第３のセルへの周波数間セル再選択を実行する。
2010536253.tif 000002
【特許請求の範囲】
【請求項１】
無線通信システムにおいてセル再選択を実行する方法であって、
第１のセルにキャンプすることと、
前記第１のセルよりも良好であると認識される第２および第３のセルを識別することと、
前記第２のセルへキャンプするセル再選択を実行することなく、前記第１のセルから前記第２のセルへ移動することと、
前記第２のセルおよび前記第３のセルのうちの少なくとも１つのための、少なくとも１つのセル再選択パラメータを取得することと、
前記少なくとも１つのセル再選択パラメータに基づいて、前記第２および第３のセルのランキングを更新することと、
前記更新された第２および第３のセルのランキングに基づいて、前記第１のセルから前記第２または第３のセルへの、セル再選択を実行することと
を備える方法。
【請求項２】
前記セル再選択を実行することは、第１の周波数における前記第１のセルから、前記第１の周波数とは異なる第２の周波数における前記第２または第３のセルへの、周波数間セル再選択を実行することを備える請求項１に記載の方法。
【請求項３】
前記セル再選択を実行することは、ある周波数における前記第１のセルから、同じ周波数における前記第２または第３のセルへの、周波数内セル再選択を実行することを備える請求項１に記載の方法。
【請求項４】
前記第１のセルよりも良好であると認識される第２および第３のセルを識別することは、
前記第１、第２および第３のセルの信号測定値を取得することと、
前記信号測定値に基づいて、前記第１、第２および第３のセルのランキングを決定することと、
前記第１、第２および第３のセルのランキングに基づいて、前記第１のセルよりもより良好なセルとして、前記第２および第３のセルを識別することと
を備える請求項１に記載の方法。
【請求項５】
前記第１のセルは第１の周波数にあり、前記第２および第３のセルは第２の周波数にあり、
前記第１、第２および第３のセルのランキングを決定することは、
前記第２の周波数に適用可能である、前記第２および第３のセルのデフォルト・オフセット値を取得することと、
前記第１、第２および第３のセルのランキングを、前記デフォルト・オフセット値にさらに基づいて決定することと
を備える請求項４に記載の方法。
【請求項６】
前記少なくとも１つのセル再選択パラメータを取得することは、
前記第２のセルからシステム情報を受信することと、
前記システム情報から、前記少なくとも１つのセル再選択パラメータを取得することと
を備える請求項１に記載の方法。
【請求項７】
前記少なくとも１つのセル再選択パラメータを取得することは、前記第２のセルのＱｏｆｆｓｅｔ値を、前記第２のセルから受信することを備え、
前記第２および第３のセルのランキングを更新することは、前記第３のセルのデフォルトＱｏｆｆｓｅｔ値と、前記受信された第２のセルのＱｏｆｆｓｅｔ値とに基づいて、前記第２および第３のセルのランキングを更新することを備える請求項１に記載の方法。
【請求項８】
前記少なくとも１つのセル再選択パラメータを取得することは、前記第２および第３のセルのＱｏｆｆｓｅｔ値を取得することを備え、
前記第２および第３のセルのランキングを更新することは、前記第２および第３のセルのＱｏｆｆｓｅｔ値に基づいて、前記第２および第３のセルのランキングを更新することを備える請求項１に記載の方法。
【請求項９】
前記第２および第３のセルのＱｏｆｆｓｅｔ値を取得することは、
前記第２のセルのＱｏｆｆｓｅｔ値を、前記第２のセルから受信することと、
前記第３のセルのＱｏｆｆｓｅｔ値を、前記第３のセルから、または、前記第２のセルによって送信された近隣セル・リストから受信することと
を備える請求項８に記載の方法。
【請求項１０】
前記セル再選択を実行することは、
前記第２および第３のセルの更新されたランキングに基づいて、前記第２のセルが、前記第３のセルよりも高くランク付けられていると判定することと、
前記第１のセルから前記第２のセルへのセル再選択を実行することと
を備える請求項１に記載の方法。
【請求項１１】
前記セル再選択を実行することは、
前記第２および第３のセルの更新されたランキングに基づいて、前記第３のセルが、前記第２のセルよりも高くランク付けられていると判定することと、
前記第１のセルから前記第２のセルへのセル再選択を実行することなく、前記第１のセルから前記第３のセルへのセル再選択を実行することと
を備える請求項１に記載の方法。
【請求項１２】
前記少なくとも１つのセル再選択パラメータに基づいて、前記第２および第３のセルのランキングの更新後まで、アップリンクでの送信を避けることをさらに備える請求項１に記載の方法。
【請求項１３】
無線通信のための装置であって、
第１のセルにキャンプし、
前記第１のセルよりも良好であると認識される第２および第３のセルを識別し、
前記第２のセルへキャンプするセル再選択を実行することなく、前記第１のセルから前記第２のセルへ移動し、
前記第２のセルおよび前記第３のセルのうちの少なくとも１つのための、少なくとも１つのセル再選択パラメータを取得し、
前記少なくとも１つのセル再選択パラメータに基づいて、前記第２および第３のセルのランキングを更新し、
前記更新された第２および第３のセルのランキングに基づいて、前記第１のセルから前記第２または第３のセルへの、セル再選択を実行する、
ように構成された少なくとも１つのプロセッサを備える装置。
【請求項１４】
前記少なくとも１つのプロセッサは、第１の周波数における前記第１のセルから、前記第１の周波数とは異なる第２の周波数における前記第２または第３のセルへの、周波数間セル再選択を実行するように構成された請求項１３に記載の装置。
【請求項１５】
前記少なくとも１つのプロセッサは、
前記第１、第２および第３のセルの信号測定値を取得し、
前記信号測定値に基づいて、前記第１、第２および第３のセルのランキングを決定し、
前記第１、第２および第３のセルのランキングに基づいて、前記第１のセルよりもより良好なセルとして、前記第２および第３のセルを識別する
ように構成された請求項１３に記載の装置。
【請求項１６】
前記少なくとも１つのプロセッサは、
前記第２のセルのＱｏｆｆｓｅｔ値を、前記第２のセルから受信し、
前記第３のセルのデフォルトＱｏｆｆｓｅｔ値と、前記受信された第２のセルのＱｏｆｆｓｅｔ値とに基づいて、前記第２および第３のセルのランキングを更新する
ように構成された請求項１３に記載の装置。
【請求項１７】
前記少なくとも１つのプロセッサは、
前記第２および第３のセルのＱｏｆｆｓｅｔ値を取得し、
前記第２および第３のセルのＱｏｆｆｓｅｔ値に基づいて、前記第２および第３のセルのランキングを更新する
ように構成された請求項１３に記載の装置。
【請求項１８】
前記少なくとも１つのプロセッサは、
前記第２および第３のセルの更新されたランキングに基づいて、前記第３のセルが、前記第２のセルよりも高くランク付けられていると判定し、
前記第１のセルから前記第２のセルへのセル再選択を実行することなく、前記第１のセルから前記第３のセルへのセル再選択を実行する
ように構成された請求項１３に記載の装置。
【請求項１９】
無線通信のための装置であって、
第１のセルにキャンプする手段と、
前記第１のセルよりも良好であると認識される第２および第３のセルを識別する手段と、
前記第２のセルへキャンプするセル再選択を実行することなく、前記第１のセルから前記第２のセルへ移動する手段と、
前記第２のセルおよび前記第３のセルのうちの少なくとも１つのための、少なくとも１つのセル再選択パラメータを取得する手段と、
前記少なくとも１つのセル再選択パラメータに基づいて、前記第２および第３のセルのランキングを更新する手段と、
前記更新された第２および第３のセルのランキングに基づいて、前記第１のセルから前記第２または第３のセルへの、セル再選択を実行する手段と
を備える装置。
【請求項２０】
前記セル再選択を実行する手段は、第１の周波数における前記第１のセルから、前記第１の周波数とは異なる第２の周波数における前記第２または第３のセルへの、周波数間セル再選択を実行する手段を備える請求項１９に記載の装置。
【請求項２１】
前記第１のセルよりも良好であると認識される第２および第３のセルを識別する手段は、
前記第１、第２および第３のセルの信号測定値を取得する手段と、
前記信号測定値に基づいて、前記第１、第２および第３のセルのランキングを決定する手段と、
前記第１、第２および第３のセルのランキングに基づいて、前記第１のセルよりもより良好なセルとして、前記第２および第３のセルを識別する手段と
を備える請求項１９に記載の装置。
【請求項２２】
前記少なくとも１つのセル再選択パラメータを取得する手段は、前記第２のセルのＱｏｆｆｓｅｔ値を、前記第２のセルから受信する手段を備え、
前記第２および第３のセルのランキングを更新する手段は、前記第３のセルのデフォルトＱｏｆｆｓｅｔ値と、前記受信された第２のセルのＱｏｆｆｓｅｔ値とに基づいて、前記第２および第３のセルのランキングを更新する手段を備える請求項１９に記載の装置。
【請求項２３】
前記少なくとも１つのセル再選択パラメータを取得する手段は、前記第２および第３のセルのＱｏｆｆｓｅｔ値を取得する手段を備え、
前記第２および第３のセルのランキングを更新する手段は、前記第２および第３のセルのＱｏｆｆｓｅｔ値に基づいて、前記第２および第３のセルのランキングを更新する手段を備える請求項１９に記載の装置。
【請求項２４】
前記セル再選択を実行する手段は、
前記第２および第３のセルの更新されたランキングに基づいて、前記第３のセルが、前記第２のセルよりも高くランク付けられていると判定する手段と、
前記第１のセルから前記第２のセルへのセル再選択を実行することなく、前記第１のセルから前記第３のセルへのセル再選択を実行する手段と
を備える請求項１９に記載の装置。
【請求項２５】
少なくとも１つのコンピュータに対して、第１のセルにキャンプさせるためのコードと、
前記少なくとも１つのコンピュータに対して、前記第１のセルよりも良好であると認識される第２および第３のセルを識別させるためのコードと、
前記少なくとも１つのコンピュータに対して、前記第２のセルへキャンプするセル再選択を実行することなく、前記第１のセルから前記第２のセルへ移動させるためのコードと、
前記少なくとも１つのコンピュータに対して、前記第２のセルおよび前記第３のセルのうちの少なくとも１つのための、少なくとも１つのセル再選択パラメータを取得させるためのコードと、
前記少なくとも１つのコンピュータに対して、前記少なくとも１つのセル再選択パラメータに基づいて、前記第２および第３のセルのランキングを更新させるためのコードと、
前記少なくとも１つのコンピュータに対して、前記更新された第２および第３のセルのランキングに基づいて、前記第１のセルから前記第２または第３のセルへの、セル再選択を実行させるためのコードと、
を備えるコンピュータ読取可能媒体を備えるコンピュータ・プログラム製品。
【請求項２６】
前記コンピュータ読取可能媒体はさらに、前記少なくとも１つのコンピュータに対して、第１の周波数における前記第１のセルから、前記第１の周波数とは異なる第２の周波数における前記第２または第３のセルへの、周波数間セル再選択を実行させるためのコードを備える請求項２５に記載のコンピュータ・プログラム製品。
【請求項２７】
前記コンピュータ読取可能媒体はさらに、
前記少なくとも１つのコンピュータに対して、前記第１、第２および第３のセルの信号測定値を取得させるためのコードと、
前記少なくとも１つのコンピュータに対して、前記信号測定値に基づいて、前記第１、第２および第３のセルのランキングを決定させるためのコードと、
前記少なくとも１つのコンピュータに対して、前記第１、第２および第３のセルのランキングに基づいて、前記第１のセルよりもより良好なセルとして、前記第２および第３のセルを識別させるためのコードとを備える請求項２５に記載のコンピュータ・プログラム製品。
【請求項２８】
前記コンピュータ読取可能媒体はさらに、
前記少なくとも１つのコンピュータに対して、前記第２のセルのＱｏｆｆｓｅｔ値を、前記第２のセルから受信させるためのコードと、
前記少なくとも１つのコンピュータに対して、前記第３のセルのデフォルトＱｏｆｆｓｅｔ値と、前記受信された第２のセルのＱｏｆｆｓｅｔ値とに基づいて、前記第２および第３のセルのランキングを更新させるためのコードと
を備える請求項２５に記載のコンピュータ・プログラム製品。
【請求項２９】
前記コンピュータ読取可能媒体はさらに、
前記少なくとも１つのコンピュータに対して、前記第２および第３のセルのＱｏｆｆｓｅｔ値を取得させるためのコードと、
前記少なくとも１つのコンピュータに対して、前記第２および第３のセルのＱｏｆｆｓｅｔ値に基づいて、前記第２および第３のセルのランキングを更新させるためのコードと
を備える請求項２５に記載のコンピュータ・プログラム製品。
【請求項３０】
前記コンピュータ読取可能媒体はさらに、
前記少なくとも１つのコンピュータに対して、前記第２および第３のセルの更新されたランキングに基づいて、前記第３のセルが、前記第２のセルよりも高くランク付けられていると判定させるためのコードと、
前記少なくとも１つのコンピュータに対して、前記第１のセルから前記第２のセルへのセル再選択を実行することなく、前記第１のセルから前記第３のセルへのセル再選択を実行させるためのコードと
を備える請求項２５に記載のコンピュータ・プログラム製品。
【発明の詳細な説明】
【優先権主張】
【０００１】
本願は、本明細書の譲受人に譲渡され、本明細書に参照によって組み込まれている２００７年８月３日出願の“CELL RESELECTION IN A WIRELESS COMMUNICATION SYSTEM”と題された米国仮出願６０／９５３，９７０号の優先権を主張する。
【技術分野】
【０００２】
本開示は、一般に通信に関し、さらに詳しくは、無線通信システムにおいてセル再選択を実行する技術に関する。
【背景技術】
【０００３】
無線通信システムは、例えば音声、ビデオ、パケット・データ、メッセージング、ブロードキャスト等のようなさまざまな通信コンテンツを提供するために広く開発された。これらの無線システムは、利用可能なシステム・リソースを共有することにより、複数のユーザをサポートすることができる多元接続システムでありうる。そのような多元接続システムの一例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および単一キャリアＦＤＭＡ（ＳＣ−ＦＤＭＡ）システムを含んでいる。
【０００４】
無線通信システムは多くのセルを含むことができる。ここで、「セル」という用語は、ノードＢのうち最も小さい有効範囲領域であるか、および／または、この有効範囲領域にサービス提供するノードＢサブシステムを称する。丁度電源を投入されたか、あるいは丁度有効範囲を失ったユーザ機器（ＵＥ）は、適切なセルを求めて探索することができる。ＵＥは、ここから、通信サービスを受け取ることができる。適切なセルが発見された場合、登録する必要があるのであれば、ＵＥは、セルを介してシステムに登録する。ＵＥがアイドル・モードにあり、セルとアクティブに通信していない場合、ＵＥはセルに「キャンプ」する。キャンプとは、システム情報およびページング情報を求めてＵＥがセルをモニタリングする処理である。ＵＥがキャンプするセルは、サービス提供セルと称される。
【０００５】
サービス提供セルにキャンプしている間、ＵＥは、同じ周波数または別の周波数において、より良好なセルを求めて定期的に探索する。より良好なセルが発見されると、ＵＥは、一般にセル再選択と称される処理によって、このより良好なセルを新たなサービス提供セルとして選択する。セル再選択によって、ＵＥは、例えばＵＥが新たな位置へ移動することによるチャネル条件が変化する場合であっても、可能な限り最良のセルにキャンプできるようになる。これによって、ＵＥはその後、到来するページング・メッセージを確実に受信するか、あるいは、呼を受信できるようになる。
【０００６】
より良好なセルへのセル再選択を実行するために、ＵＥは、シグナリング・メッセージを交換する。交換するシグナリング・メッセージの数を低減し、恐らくは、システム・パフォーマンスを改善するために、セル再選択を効率的に実行することが望まれる。
【発明の概要】
【０００７】
本明細書では、無線通信システムにおいてセル再選択を実行する技術が記述される。ＵＥはまず、第１のセルにキャンプする。第１のセルにキャンプしている間、ＵＥは、ＵＥによって検出される各セルの信号測定値を得ることができる。ＵＥは、セルの信号測定値および１または複数のセル選択パラメータに基づいて、各セルのセル・ランキング・クライテリアを計算することができる。ＵＥは、セル・ランキング・クライテリアに基づいてセルをランク付けし、第１のセルよりも良好であると認められた第２および第３のセルを識別することができる。しかしながら、ＵＥは、第２および第３のセルに適切なセル再選択パラメータを持っていないかもしれないし、第２のセルが第３のセルよりも良好であるか、あるいはその逆であるかを知らないかもしれない。ＵＥは、例えば、第２および第３のセルの周波数に適用可能なデフォルトＱｏｆｆｓｅｔ値のようなデフォルト・セル再選択パラメータに基づいて、第２のセルが第３のセルよりも良好であるとの初期判定を行う。
【０００８】
態様において、ＵＥは、第２のセルへキャップするセル再選択を実行することなく、第１のセルから第２のセルへ移動することができる。第２のセルへ移動した後に、ＵＥは、第２および／または第３のセルのための少なくとも１つのセル再選択パラメータを取得することができる。ＵＥは、少なくとも１つのセル再選択パラメータに基づいて、第２および第３のセルのランキングを更新する。その後、ＵＥは、更新されたランキングに基づいて、第１のセルから、第２または第３のセルへのセル再選択を実行する。ＵＥは、アップリンクにおける干渉をもたらすことを避けるために、ランキングの更新後までアップリンクでの送信を回避する。
【０００９】
１つの設計では、ＵＥは、第２のセルからシステム情報を受信し、このシステム情報から、少なくとも１つのセル再選択パラメータを取得する。ＵＥは、第２のセルから、第２のセルのＱｏｆｆｓｅｔ値を受信する。ＵＥはまた、第３のセルから、あるいは、第２のセルによって送信された近隣セル・リストから、第３のセルのＱｏｆｆｓｅｔ値を受信する。ＵＥは、受信された第３のセルのＱｏｆｆｓｅｔ値またはデフォルトＱｏｆｆｓｅｔ値のうちの何れかと、受信された第２のセルのＱｏｆｆｓｅｔ値とに基づいて、第２および第３のセルのランキングを更新する。
【００１０】
ＵＥは、さまざまな方式でセル再選択を実行する。１つの設計では、ＵＥは、第１の周波数における第１のセルから、第２の周波数における第２または第３のセルへの周波数間セル再選択を実行する。別の設計では、ＵＥは、第１のセルから、第１のセルと同じ周波数における第２または第３のセルへの周波数内セル再選択を実行する。両方の設計について、ＵＥは、更新されたランキングに基づいて、第２のセルが、第３のセルよりも高くランク付けされたと判定し、第１のセルから第２のセルへのセル再選択を実行する。あるいは、ＵＥは、更新されたランキングに基づいて、第３のセルが、第２のセルよりも高くランク付けされたと判定し、第１のセルから第２のセルへのセル再選択を実行することなく、かつ、第２のセルへ実際にキャンプすることなく、第１のセルから第３のセルへのセル再選択を実行する。
【００１１】
本開示のさまざまな態様および特徴が、以下にさらに詳述される。
【図面の簡単な説明】
【００１２】
【図１】図１は、無線通信システムを示す。
【図２】図２は、周波数間の移動中における２回セル再選択を示す。
【図３】図３は、２回セル再選択を回避しながら、周波数間の移動中におけるセル再選択を示す。
【図４】図４は、セル再選択を実行する処理を示す。
【図５】図５は、セル再選択を実行する装置を示す。
【図６】図６は、ノードＢとＵＥのブロック図を示す。
【発明を実施するための形態】
【００１３】
本明細書に記載の技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用されうる。「システム」、「ネットワーク」という用語は、しばしば置換可能に使用される。これら無線システムは、ラジオ・アクセス技術（ＲＡＴ）、エア・インタフェース等とも称されるさまざまなラジオ技術をサポートする。ＣＤＭＡシステムは、例えばユニバーサル地上ラジオ接続（ＵＴＲＡ）、ｃｄｍａ２０００等のようなラジオ技術を実施することができる。ＵＴＲＡは、広帯域ＣＤＭＡ（ＷＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、グローバル移動体通信システム（ＧＳＭ）のようなラジオ技術を実施しうる。ＯＦＤＭＡシステムは、例えば次世代ＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭ（登録商標）等のようなラジオ技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを用いるＵＭＴＳの最新版であり、ダウンリンクではＯＦＤＭＡを用い、アップリンクではＳＣ−ＦＤＭＡを用いる。ＵＴＲＡ、Ｅ−ＵＴＲＡ、ＧＳＭ、ＵＭＴＳおよびＬＴＥは、「第３世代パートナシップ計画」（３ＧＰＰ）と命名された組織からの文書に記載されている。ｃｄｍａ２０００とＵＭＢは、「第３世代パートナシップ計画２」（３ＧＰＰ２）と命名された組織からの文書に記載されている。明瞭さのために、これら技術のある態様は、ＬＴＥについて以下に記載されており、ＬＴＥという用語が、以下の記載のほとんどにおいて使用される。
【００１４】
図１は、ＬＴＥシステムでありうる無線通信システム１００を示す。システム１００は、多くのノードＢおよびその他のネットワーク・エンティティを含みうる。単純化のために、図１では、３つのノード１１０ａ、１１０ｂ、１１０ｃと、１つのネットワーク・コントローラ１３０とが示される。ノードＢは、ＵＥと通信する固定局であり、次世代ノードＢ（ｅＮＢ）、基地局、アクセス・ポイント等とも称される。おのおののノードＢ１１０は、特定の地理的領域１０２のために通信有効範囲を提供する。システム容量を向上するために、ノードＢの有効範囲領域の全体が、例えば３つの小さな領域１０４ａ、１０４ｂ、１０４ｃのような複数の小さな領域に分割されうる。これら小さな領域のおのおのは、それぞれのノードＢサブシステムによってサービス提供されうる。３ＧＰＰでは、用語「セル」は、有効範囲領域にサービス提供するノードＢおよび／またはノードＢサブシステムのうちの最も小さい有効範囲領域を称しうる。３ＧＰＰ２では、用語「セクタ」が、有効範囲領域にサービス提供する基地局および／または基地局サブシステムのうち最も小さい有効範囲領域を称しうる。明瞭さのため、以下の記載では３ＧＰＰセル概念が使用される。
【００１５】
図１で示される例において、おのおののノードＢ１１０は、異なる地理的領域をカバーする３つのセルを有する。単純化のために、図１は、互いにオーバラップしていないセルを示している。実際の構成では、隣接するセルが一般に端部において互いにオーバラップする。これによって、ＵＥがシステム内を移動すると、ＵＥは、任意の位置において、１または複数のセルから、通信有効範囲を受け取ることができる。
【００１６】
ＵＥ１２０は、システム全体にわたって分布しており、おのおののＵＥは、固定式または移動式でありうる。ＵＥはまた、移動局、端末、アクセス端末、加入者ユニット、局等と称されうる。ＵＥは、セルラ電話、携帯情報端末（ＰＤＡ）、無線モデム、無線通信デバイス、ハンドヘルド・デバイス、ラップトップ・コンピュータ、コードレス電話等でありうる。ＵＥは、ダウンリンクおよびアップリンクによってノードＢと通信する。ダウンリンク（すなわちフォワード・リンク）は、ノードＢからＵＥへの通信リンクを称し、アップリンク（すなわちリバース・リンク）は、ＵＥからノードＢへの通信を称する。図１では、２重矢印を持つ実線が、ノードＢとＵＥとの間の双方向通信を示す。１つの矢印を持つ実線は、セルにキャンプしているＵＥを示す。１つの矢印を持つ破線は、例えば、信号測定を行うために、ノードＢからダウンリンク信号を受信しているＵＥを示す。
【００１７】
ＵＥは、電源投入がなされたり、あるいは、有効通信範囲を喪失すると、セル選択を実行する。セル選択のために、ＵＥは、適切なセルを発見するために、システム探索を実行することができる。ＵＥは、ここから、通信サービスを受け取ることができる。適切なセルとは、ＵＥが、（例えば緊急呼出のような制限されたサービスではなく、）通常のサービスを取得できるセルである。一定の基準を満たす場合、セルは適切であるとみなされる。適切なセルが発見されると、登録する必要がある場合には、ＵＥは、セルを介してシステムへの登録を実行する。ＵＥがアイドル状態にあり、セルとアクティブに通信していない場合、ＵＥは適切なセルにキャンプする。ＵＥがキャンプされるセルは、サービス提供セルと称される。
【００１８】
サービス提供セルにキャンプしている間、ＵＥは、ＵＥがキャンプしサービスを受け取ることができるより良好なセルがないかを調べるために、定期的に確認することができる。そのようなセルが存在する場合、ＵＥは、一般にセル再選択と称される処理を通じて、このセルを新たなサービス提供セルとして選択することができる。セル再選択のために、ＵＥは、ＵＥのためのサービス提供セルの変更を有効にするために、現在のサービス提供セルおよび／または新たなサービス提供セルと、シグナリング・メッセージを交換することができる。
【００１９】
ＵＥがアイドル状態にある間、ＵＥの位置がトラッキングされ、ＵＥは、到来する呼および／またはその他の理由により、ページされうる。システムの有効範囲領域の全体は、トラッキング領域に分割される。そして、おのおののトラッキング領域は、互いに近くに位置する１または複数のセルのグループを含む。ＵＥが新たなトラッキング領域に移動した場合には常に、ＵＥは、そのトラッキング領域を更新するために、システムとシグナリング・メッセージを交換する。その後、ＵＥの到来呼が受信されると、ＵＥの現在のトラッキング領域内の全てのセルによって、ページング・メッセージがＵＥへ送信される。必要に応じてＵＥのトラッキング領域を更新することによって、必要な場合には常に、ＵＥは、システムから到達される。
【００２０】
容量を向上し、その他の利益を得るために、システムは、複数の周波数における動作をサポートすることができる。複数の周波数はまた、周波数チャネル、キャリア、周波数範囲等とも称される。おのおのの周波数において、任意の数のセルが配置されうる。異なる周波数上のセルは、オーバラップするまたはオーバラップしない有効範囲領域を有しうる。
【００２１】
ＵＥは、（ｉ）サービス提供セルの周波数と同じ周波数における他のセルを選択する周波数内セル再選択、あるいは（ｉｉ）異なる周波数における別のセルを選択する周波数間セル再選択を実行する。サービス提供セルの周波数は、サービス提供周波数と称される。ＵＥはまた、例えば、ラジオ・リソース制御（ＲＲＣ）接続を解放した後、新たな周波数へのセル選択をも実行する。ここで、システムは、ＵＥを、異なる周波数へ向ける。
【００２２】
周波数内および周波数間の両方のセル再選択の場合、ＵＥは、おのおののセルによって送信されたパイロットまたは基準信号に基づいて、サービス提供セルおよび近隣セルの受信信号強度および／または受信信号品質を測定する。受信信号強度はまた、基準信号受信電力（ＲＳＲＰ）、受信信号強度インジケータ（ＲＳＳＩ）、受信信号符号電力（ＲＳＣＰ）、受信信号レベル、受信強度、受信パイロット電力、受信パイロット強度等とも称される。受信信号品質はまた、チップ毎エネルギ対合計雑音比（Ｅｃ／Ｉｏ）、信号対雑音比（ＳＮＲ）等とも称される。明確化のために、セル再選択の受信信号強度の使用を以下に説明する。
【００２３】
ＵＥは、おのおののセルの測定値を得るために、サービス提供セルおよび近隣セルの信号測定値を処理する。そして、ＵＥは、セル再選択パラメータおよびそのセルの測定値に基づいて、おのおおののセルのセル・ランキング・クライテリアを導出する。１つの設計では、サービス提供セルおよび近隣セルのランキング・クライテリアは、以下の通り表される。  
Ｒｓ＝Ｑｍｅａｓ、ｓ＋Ｑｈｙｓｔｓ                      式（１）  
Ｒｎ＝Ｑｍｅａｓ、ｎ−Ｑｏｆｆｓｅｔｓ，ｎ                式（２）  
ここで、Ｒｓは、サービス提供セルｓのランキング・クライテリアであり、  
Ｒｎは、近隣セルｎのランキング・クライテリアであり、  
Ｑｍｅａｓ，ｓは、サービス提供セルｓの測定値であり、  
Ｑｍｅａｓ，ｎは、近隣セルｎの測定値であり、  
Ｑｈｙｓｔｓは、サービス提供セルｓのヒステリシス値であり、  
Ｑｏｆｆｓｅｔｓ，ｎは、サービス提供セルｓと近隣セルｎとの間のオフセット値である。
【００２４】
セル再選択のためのセル・ランキング・クライテリアは、公的に利用可能な"Evolved Universal Terrestrial Radio Access (E-UTRA); User Equipment (UE) procedures in idle mode"と題された３ＧＰＰ  ＴＳ  ３６．３０４に記載されている。式（１）および式（２）に示すように、セル・ランキング・クライテリアを導出するために、さまざまなセル再選択パラメータが使用される。式（２）に示されるように、セル再選択パラメータのうちの１つは、特定のサービス提供セルｓと、特定の近隣セルｎのために定義されたセル特有のパラメータＱｏｆｆｓｅｔｓ，ｎである。Ｑｏｆｆｓｅｔｓ，ｎは、再選択中、セルのランク付けのための測定値を修正するために使用される。サービス提供セルおよび近隣セルのランキング・クライテリアはまた、別のパラメータおよび／または追加パラメータに基づいても定義されうる。
【００２５】
ＵＥは、ＵＥによって検出されたおのおののセルのためのランキング・クライテリアを決定することができる。ＵＥは、それらランキング・クライテリアに基づいて、全てのセルのランク付けをすることができる。そしてＵＥは、最良のランキング・クライテリアを持つセルを識別することができ、さらに、このセルが現在のサービス提供セルではなく、かつ、一定のセル再選択クライテリアが満足されている場合、最良のセルに対するセル再選択を実行することができる。
【００２６】
サービス提供周波数におけるセルのセル再選択パラメータが、ＵＥにシグナリングされうる。その後、ＵＥは、サービス提供周波数におけるセルを適切にランク付けするために、これらのセル再選択パラメータを適用することができる。しかしながら、その他の周波数および／またはその他のＲＡＴにおけるセルのセル再選択パラメータは、ＵＥにシグナリングされない。セル特有パラメータＱｏｆｆｓｅｔは、周波数間の移動あるいはＲＡＴ間の移動中、前もってＵＥには知らされない。そのような場合、ＵＥは、未知のＱｏｆｆｓｅｔを持つ近隣セルのおのおのについて、デフォルト値を使用する。このデフォルト値は、所与の周波数における全てのセルに適用可能な、周波数特有のＱｏｆｆｓｅｔ値でありうる。このデフォルト値はまた、セルのＱｏｆｆｓｅｔ値が知られていない場合、適用可能な予め定めたＱｏｆｆｓｅｔ値でありうる。このデフォルト値は、現在のサービス提供セルによって提供されるか、あるいは、ＵＥによって演繹的に知られているか、あるいは、ある手法でＵＥによって確認されうる。
【００２７】
セル特有のパラメータ（例えば、Ｑｏｆｆｓｅｔ）が未知である場合、ＵＥは、周波数間のセル再選択（あるいは、新たな周波数に対するセル選択）を実行し、選択されたセルが、実際には、新たな周波数における最良のセルではないことを知る。ＵＥは新たな周波数において他のセルを発見することができ、新たな周波数における最良のセルに対する再選択を行うことができるので、この状況は、修復可能である。しかしながら、「２回セル再選択」をすると、余分やシグナリングや、例えば、領域更新のトラッキングや、システムとのインタラクションに関連する負荷のような、システム内の余分な負荷をもたらしうる。
【００２８】
図２は、周波数間の移動における２回セル再選択を示す。この例では、システムは、２つの周波数Ｆ１、Ｆ２における動作をサポートする。図２は、３つのセルＡ、Ｂ１、Ｂ２を示す。これらは、図１における任意の３つのセルであるか、あるいは、システム内のいくつかのセルでありうる。
【００２９】
ＵＥは、まず、周波数Ｆ１でセルＡにキャップする。セルＡの測定値が低く、周波数Ｆ１の品質が貧弱であるかもしれない。そして、周波数Ｆ１の品質よりも、周波数Ｆ２の品質が良好あるいはより良好であるかもしれない。ＵＥは、セルＢ１、Ｂ２を、現在のサービス提供セルＡよりも、より良好であると認識しうる。ＵＥは、セルＢ２よりもセルＢ１についてより良好な測定値を取得しうる。ＵＥは、セルＢ１、Ｂ２のセル特有Ｑｏｆｆｓｅｔ値を知らず、これら両方のセルについて、同じデフォルトの（例えば、周波数特有の）Ｑｏｆｆｓｅｔを用いる。セルＢ１は、このデフォルトＱｏｆｆｓｅｔ値に基づいて、３つのセルＡ、Ｂ１、Ｂ２の中から最良のランキング・クライテリアを持つことができる。
【００３０】
ＵＥは、周波数Ｆ１におけるセルＡから、周波数Ｆ２におけるセルＢへの周波数間セル再選択を実行することができる。ＵＥは、セルＢ１にキャンプするために、一般には、セル再選択手順にしたがって、セルＢ１を経由して、システムとシグナリング・メッセージを交換する。その後、ＵＥは、大きなＱｏｆｆｓｅｔ値を有しうるセルＢ１にキャンプする。式（２）に示されるように、式（２）の右辺におけるマイナス符号によって、Ｑｏｆｆｓｅｔ値が大きくなると、セル・ランキング・クライテリアは悪化する。Ｑｏｆｆｓｅｔ値が大きくなると、セルはより魅力がなくなる一方、Ｑｏｆｆｓｅｔ値が小さくなると、セルはより魅力的になる。ＵＥがセルＢ１にキャンプすると、ＵＥは、セルＢ２がセルＢ１よりも小さなＱｏｆｆｓｅｔを有していることを知る。ＵＥは、セルＢ２がセルＢ１よりも良好であると判定し、セルＢ１からセルＢ２への周波数内セル再選択を実行する。ＵＥは、その後、セルＢ２にキャンプすることができる。
【００３１】
図２に示す例では、セルＡは、トラッキング領域１に属し、セルＢ１は、トラッキング領域２に属し、セルＢ２は、トラッキング領域３に属する。ＵＥは、新たなトラッキング領域に移動する場合は常に、トラキング領域更新手順を実行する。図２に示す例では、ＵＥは、セルＢ１への最初のセル再選択について、トラッキング領域更新手順を一度実行する。ＵＥは、その後、セルＢ２へのセル再選択について、トラッキング領域更新手順を再び実行する。
【００３２】
図２に例示する２回セル再選択は、いくつかの理由で不適切でありうる。第１に、３つのセルＡ、Ｂ１、Ｂ２が異なるトラッキング領域にある場合、ＵＥは、トラッキング領域更新手順を２回実行しうる。第２に、ＵＥは、「誤った」セルＢ１にキャンプしている間、アップリンクにおける干渉をもたらしうる。この干渉は、１度の周波数再使用を伴うシステム（すなわち、再使用１システム）において不適切でありうる。
【００３３】
態様では、ＵＥは、新たなセル（例えば、図２に示す例ではセルＢ１）を、「仮想の」サービス提供セルとして用いることにより、２回セル再選択を回避することができる。ＵＥがセルに実際にキャンプしていないが、あたかもＵＥがセルにキャンプしているようにこのセルからシステム情報（例えば、システム情報ブロック（ＳＩＢ））を読み取るという点において、新たなセルは仮想的なサービス提供セルでありうる。しかしながら、ＵＥは、新たなセルからページング情報を受信せず、この新たなセルのためのその他のキャンプ機能を実行しない。ＵＥは実際に、セルに通知することなく、セルとシグナリングを交換することもなく、新たなセルにキャンプする。
【００３４】
１つの設計では、ＵＥは、新たなセルへ移動すると、新たなセルおよび恐らくは近隣セルのセル再選択パラメータを取得しうる。そして、ＵＥは、このセル再選択パラメータがＵＥにおいてどのようにセル・ランキングに影響を与えるのかを判定することができる。ＵＥは、セル再選択パラメータを適用するまで、新たなセルへキャンプするためにセル再選択を実行することを回避することができる。これらのパラメータが、ＵＥによる最良のセルの判定を変更する場合、ＵＥは、新たなセル（例えば、セルＢ１）へキャンプすることなく、現在のサービス提供セルから、最良のセルへの（例えば、図２に示す例におけるセルＡからセルＢ２への）直接的なセル再選択を実行することができる。
【００３５】
図３は、２回セル再選択を回避する周波数間移動中のセル再選択の設計を示す。ＵＥはまず、周波数Ｆ１のセルＡにキャンプする。周波数Ｆ１の品質は貧弱であり、周波数Ｆ２の品質が良好あるいはより良好であるかもしれない。ＵＥは、セルＢ２よりもセルＢ１についてより良好な測定値を取得しうる。ＵＥは、セルＢ１とセルＢ２との両方について、同じデフォルトＱｏｆｆｓｅｔ値を適用し、３つのセルＡ、Ｂ１、Ｂ２のうちセルＢ１について、最良のランキング・クライテリアを取得しうる。
【００３６】
ＵＥは、周波数Ｆ２に移動し、セルＢ１に到着しうる。しかしながら、ＵＥは、実際にセルＢ１にキャンプするために、セル再選択手順を経ない。その代わり、ＵＥは、セルＢ１からダウンリンク信号を受信し、セルＢ１および／またはセルＢ２のセル再選択パラメータを取得する。そして、ＵＥは、このセル再選択パラメータに基づいてセル・ランキングを更新し、これら更新されたセル・ランキングをレビューする。図３に示される一例において、例えば、セルＢ２のＱｏｆｆｓｅｔが、セルＢ１のＱｏｆｆｓｅｔよりも小さいことにより、ＵＥは、セルＢ２が、セルＢ１よりも高くランク付けされていると判定する。そして、ＵＥは、周波数Ｆ１におけるセルＡから、周波数Ｆ２におけるセルＢ２へ直接的に、周波数間セル再選択を実行し、セルＢ２にキャンプすることができる。ＵＥは、トラッキング領域１からトラッキング領域３に移動したので、トラッキング領域更新手順を実行する。セルＢ１はトラッキング領域２に属しているが、ＵＥは、実際にはセルＢ１にはキャンプせず、トラッキング領域１におけるセルＡから、トラッキング領域３におけるセルＢ２へ直接的に到着したものと見なされる。
【００３７】
図３には示されていないが、セル再選択パラメータの適用後、セルＢ１がセルＢ２よりも高くランク付けされているとＵＥが判定した場合、ＵＥは、周波数Ｆ１におけるセルＡから、周波数Ｆ２におけるセルＢ１への周波数間セル再選択を実行し、セルＢ１にキャンプする。ＵＥは、トラッキング領域１からトラッキング領域２に移動したので、トラッキング領域更新手順を実行する。
【００３８】
新たな周波数におけるどのセルがより良好なセルであるかに関わらず、ＵＥは、セル再選択パラメータを適用するまで、新たな周波数についてＵＥが到着する第１のセル（例えば、図３に示す例におけるセルＢ１）に実際にキャンプすることを回避することができる。セル再選択パラメータが、ＵＥによる最良のセルであるとの判定を変更する場合、ＵＥは、新たな周波数における第１のセルへ実際にキャンプすることなく、新たな最良のセル（例えば、図３に示す例におけるセルＢ２）への直接的なセル再選択を実行することができる。
【００３９】
図３に示されるように、仮想的なサービス提供セルとしてセルＢ１を使用することによって、ＵＥは、セル再選択パラメータがＵＥに最初に知らされていない場合、（図２に示すような２度ではなく）、一度だけセル再選択を実行できるようになる。さらに、ＵＥは、トラッキング領域更新手順を（図２に示すような２度ではなく）一度だけ実行することができる。さらに、ＵＥは、セルＢ１にある間、アップリンクでの送信を控え、アップリンクでの干渉をもたらすことを回避することができる。ＵＥは、セル再選択パラメータを適用し、新たな周波数における最良のセルを識別した後、アップリンクで送信することができる。
【００４０】
ＵＥは、セルＢ１に実際にキャンプしている間、セルＢ２のＱｏｆｆｓｅｔ値を決定することも、決定しないこともある。これは、セル再選択パラメータがシステムによってシグナリングされる方式や、ＵＥ機能等のようなさまざまな要因に依存しうる。ＵＥは、いくつかの手法で、セルＢ２のＱｏｆｆｓｅｔ値を決定することができる。１つの設計では、ＵＥは、セルＢ２から直接的にＱｏｆｆｓｅｔ値を受け取ることができる。別の設計では、ＵＥは、セルＢ１から周波数内の近隣セル・リストを受け取る。このリストは、リスト内のセルのＱｏｆｆｓｅｔ値を含みうる。いずれにせよ、ＵＥは、近隣セルのＱｏｆｆｓｅｔ値を持たない場合、セルを適切にランク付けすることができる。
【００４１】
ＵＥがセルＢ２のＱｏｆｆｓｅｔ値を知らない場合、セルＢ１のＱｏｆｆｓｅｔ値を適用した後であっても、セル・ランキングは正しくない。この理由により、例えば近隣セルのリストによって、周波数内セルのＱｏｆｆｓｅｔ値をＵＥへ迅速かつ効率的に配信するメカニズムを有することが望まれる。しかしながら、そのようなメカニズムがない場合であっても、本明細書に記載の技術は、ある場合においては、２回セル再選択を回避することができる。例えば、セルＢ１のＱｏｆｆｓｅｔ値は、十分大きく、セル・ランキングを変更しうるので、セルＢ２のＱｏｆｆｓｅｔ値が適用される前であっても、セルＢ２が選択されるようになる。
【００４２】
本明細書に記載した技術は、上述したような仮想的なサービス提供セルを用いた周波数内セル再選択のために使用されうる。これらの技術はまた、周波数内セル再選択のためにも使用されるが、例えば大きなＱｏｆｆｓｅｔ値を持つ複数のセル間でのピン・ポンを回避するような手法に適用されるべきである。ある場合には（例えば、サービス提供セルが、近隣セルの存在に気付かないような自己構築ネットワークでは）、周波数内のセルのための正しいＱｏｆｆｓｅｔ値が、前もって知られていない。これらの場合、本明細書に記載された技術は、所与の周波数内の、周波数内セル再選択のために有利に適用されうる。
【００４３】
ＵＥは、接続状態にあり、セルとアクティブに通信することができる。ＵＥがアイドル状態に移行した場合、システムは、ＵＥが仮想的なサービス提供セル挙動を適用すべきかを示すことができる。これは、例えば、ＵＥの接続の解放を示すＲＲＣメッセージで提供されうる。
【００４４】
本明細書に記載の技術を用いて、ＵＥは、２回セル再選択を回避しながら、周波数間セル再選択と、恐らくは、周波数内セル再選択とを実行することができる。ＵＥは、ターゲット周波数における個別のセルのためのセル再選択パラメータを事前に知る必要なく、これを達成することができる。ＵＥは、ターゲット周波数における仮想的なサービス提供セルへ移動した後、セル再選択パラメータを取得することができる。２回セル再選択問題は、ＵＥがターゲット・セルのセル再選択パラメータを知らないことによるので、キャンプする前にこれらのパラメータを読み取ることによって、ＵＥは、この問題の根源を避けることができる。
【００４５】
図４は、無線通信システムにおいてセル再選択を実行する処理４００の設計を示す。処理４００は、（後述するように）ＵＥによって、あるいはその他いくつかのエンティティによって実行されうる。ＵＥは、先ず、第１のセルにキャンプする（ブロック４１２）。第１のセルにキャンプしている間、ＵＥは、第１のセルよりもより良好であると認識される第２および第３のセルを識別する（ブロック４１４）。ＵＥは、第２のセルにキャンプするセル再選択を実行することなく、第１のセルから第２のセルへ移動することができる（ブロック４１６）。第２のセルへ移動した後、ＵＥは、第２および第３のセルのうちの少なくとも１つのための、少なくとも１つのセル再選択パラメータを取得する（ブロック４１８）。ＵＥは、この少なくとも１つのセル再選択パラメータに基づいて、第２および第３のセルのランキングを更新する（ブロック４２０）。ＵＥは、その後、第２および第３のセルの更新されたランキングに基づいて、第１のセルから、第２または第３のセルへのセル再選択を実行することができる（ブロック４２２）。アップリンクにおける干渉を引き起こすことを回避するために、ＵＥは、ブロック４２０における第２および第３のセルのランキングの更新後まで、アップリンクでの送信を避ける。
【００４６】
ブロック４１４の１つの設計では、ＵＥは、第１、第２および第３のセルの信号測定値を取得する。ＵＥはまた、第２および第３のセルのデフォルトのオフセット値を取得する。このデフォルト・オフセット値は、第２および第３のセルの周波数に適用可能なオフセット値であるか、あるいは、予め定めたオフセット値でありうる。ＵＥは、信号測定値、デフォルトのオフセット値、および恐らくはその他のパラメータに基づいて、第１、第２および第３のセルのランキングを決定することができる。例えば、ＵＥは、式（１）または式（２）に示すように、おのおののセルのセル・ランキング・クライテリアを決定し、それらセル・ランキング・クライテリアに基づいて、セルのランク付けを行う。ＵＥは、第１、第２および第３のセルのランキングに基づいて、第２および第３のセルが、第１のセルよりもより良好であると認識する。
【００４７】
ＵＥは、ブロック４１８において、さまざまな手法で、少なくとも１つのセル再選択パラメータを取得することができる。１つの設計では、ＵＥは、第２のセルからシステム情報を受信し、このシステム情報から、少なくとも１つのセル再選択パラメータを取得する。ＵＥは、第２のセルから、第２のセルのＱｏｆｆｓｅｔ値を受け取る。ＵＥは、第３のセルのＱｏｆｆｓｅｔ値を、第３のセルから直接受け取るか、あるいは、第２のセルによって送信された近隣セル・リストから受け取る。ＵＥはまた、その他の手法でもＱｏｆｆｓｅｔ値を受け取るか、および／または、第２および／または第３のセルのためのその他のセル再選択パラメータを取得することができる。
【００４８】
ＵＥは、ブロック４２０において、さまざまな手法で、第２および第３のセルのランキングを更新することができる。１つの設計では、ＵＥは、第２のセルのＱｏｆｆｓｅｔ値と、第３のセルのデフォルトのＱｏｆｆｓｅｔ値とに基づいて、第２および第３のセルのランキングを更新することができる。別の設計では、ＵＥは、第２および第３のセルのＱｏｆｆｓｅｔ値に基づいて、第２および第３のセルのランキングを更新することができる。またその他の設計では、ＵＥは、第３のセルのＱｏｆｆｓｅｔ値と、第２のセルのデフォルトのＱｏｆｆｓｅｔ値とに基づいて、第２および第３のセルのランキングを更新することができる。これらの設計について、ＵＥは、例えば式（２）に示すように、セルのＱｏｆｆｓｅｔ値に基づいて、おのおののセルのセル・ランキング・クライテリアを再計算することができる。その後、ＵＥは、再計算されたセル・ランキング・クライテリアに基づいて、セルのランキングを決定することができる。ＵＥはまた、その他のセル再選択パラメータに基づいて、および／または、その他の手法によって、第２および第３のセルのランキングを更新することができる。
【００４９】
ＵＥは、ブロック４２０において、さまざまな手法でセル再選択を実行することができる。１つの設計では、ＵＥは、第１の周波数における第１のセルから、第２の周波数における第２または第３のセルへの周波数間セル再選択を実行することができる。別の設計では、ＵＥは、ある周波数における第１のセルから、これと同じ周波数における第２または第３のセルへの周波数内セル再選択を実行することができる。両方の設計について、ＵＥは、更新されたランキングに基づいて、第２のセルが、第３のセルよりも高くランク付けされていると判定する。そして、第１のセルから第２のセルへのセル再選択を実行する。あるいは、ＵＥは、更新されたランキングに基づいて、第３のセルが第２のセルよりも高くランク付けされていると判定する。そして、第１のセルから第２のセルへのセル再選択を実行することなく、また、実際に第２のセルへキャンプすることなく、第１のセルから第３のセルへのセル再選択を実行することができる。
【００５０】
図５は、無線通信システムにおいてセル再選択を実行するための装置５００の設計を示す。装置５００は、第１のセルにキャンプするためのモジュール５１２と、第２および第３のセルが、第１のセルよりもより良好であると識別するためのモジュール５１４と、第２のセルにキャンプするセル再選択を実行することなく、第１のセルから第２のセルへ移動するためのモジュール５１６と、第２および第３のセルのうちの少なくとも１つのための、少なくとも１つのセル再選択パラメータを取得するためのモジュール５１８と、この少なくとも１つのセル再選択パラメータに基づいて、第２および第３のセルのランキングを更新するためのモジュール５２０と、第２および第３のセルの更新されたランキングに基づいて、第１のセルから第２または第３のセルへのセル再選択を実行するためのモジュール５２２とを含む。図５のモジュールは、プロセッサ、電子デバイス、ハードウェア・デバイス、電子構成要素、論理回路、メモリ等、あるいはこれらの任意の組み合わせを備えうる。
【００５１】
図６は、図１のノードＢのうちの１つ、およびＵＥのうちの１つでありうるノードＢ１１０とＵＥ１２０との設計のブロック図を示す。この設計では、ノードＢ１１０には、Ｔ個のアンテナ６３４ａ乃至６３４ｔが備えられ、ＵＥ１２０にはＲ個のアンテナ６５２ａ乃至６５２ｒが備えられている。ここで、一般に、Ｔ≧１およびＲ≧１である。
【００５２】
ノードＢ１１０では、送信プロセッサ６２０が、データ・ソース６１２から、１または複数のＵＥのためのトラフィック・データを受け取り、そのＵＥのために選択された１または複数の変調スキームおよび符合化スキームに基づいて、おのおののＵＥのトラフィック・データを処理し、全てのＵＥのためのデータ・シンボルを提供する。送信プロセッサ６２０はまた、コントローラ／プロセッサ６４０からシグナリングを受け取り、このシグナリングを処理して、シグナリング・シンボルを提供する。送信プロセッサ６２０はまた、受信信号強度および／または受信信号品質の測定のためにＵＥによって使用される基準信号またはパイロットを生成する。送信（ＴＸ）複数入力複数出力（ＭＩＭＯ）プロセッサ６３０は、データ・シンボル、シグナリング・シンボル、およびパイロット・シンボルを多重化する。このプロセッサ６３０は、多重化されたシンボルについて空間処理（例えば、事前符合化）を適用できるのであれば、それを実行し、Ｔ個の出力シンボル・ストリームを、Ｔ個の変調器（ＭＯＤ）６３２ａ乃至６３２ｔへ提供する。おのおのの変調器６３２は、出力サンプル・ストリームを得るために、（例えば、ＯＦＤＭ用に）それぞれの出力シンボル・ストリームを処理する。おのおのの変調器６３２はさらに、ダウンリンク信号を生成するために、出力サンプル・ストリームを処理（例えば、アナログ変換、増幅、フィルタ、およびアップコンバート）する。変調器６３２ａ乃至６３２ｔからのＴ個のダウンリンク信号は、Ｔ個のアンテナ６３４ａ乃至６３４ｔそれぞれを経由して送信されうる。
【００５３】
ＵＥ１２０では、アンテナ６５２ａ乃至６５２ｒが、ノードＢ１１０からのダウンリンク信号を受信し、受信した信号を復調器（ＤＥＭＯＤ）６５４ａ乃至６５４ｔへそれぞれ提供する。おのおのの復調器６５４は、受信したそれぞれの信号を調整（例えば、フィルタ、増幅、ダウンコンバート、およびデジタル化）してサンプルを取得する。さらに、このサンプルを（例えば、ＯＦＤＭ用に）処理して、それぞれのシンボルを取得する。ＭＩＭＯ検出器６６０は、Ｒ個全ての復調器６５４ａ乃至６５４ｒから受信シンボルを受け取り、これら受信シンボルについて、適用可能であればＭＩＭＯ検出を実行し、検出シンボルを提供する。受信プロセッサ６７０は、これら検出シンボルを処理（例えば、復調、デインタリーブ、および復号）し、ＵＥ１２０のための復号データをデータ・シンク６７２に提供し、復号されたシグナリングをコントローラ／プロセッサ６９０へ提供する。一般に、ＭＩＭＯ検出器６６０および受信プロセッサ６７０による処理は、ノードＢ１１０における送信ＭＩＭＯプロセッサ６３０および送信プロセッサ６２０による処理と相補的である。
【００５４】
アップリンクにおいては、ＵＥ１２０において、データ・ソース６７８からのトラフィック・データと、コントローラ／プロセッサ６９０からの（例えば、セル再選択のための）シグナリングが、送信プロセッサ６８０によって処理され、適用可能であれば送信ＭＩＭＯプロセッサ６８２によって事前符合化され、変調器６５４ａ乃至６５４ｒによって調整され、ノードＢ１１０へ送信される。ノードＢ１１０では、ＵＥ１２０からのアップリンク信号が、アンテナ６３４によって受信され、復調器６３２によって調整され、適用可能であればＭＩＭＯ検出器６３６によって処理され、さらに、受信プロセッサ６３８によって処理されて、ＵＥ１２０によって送信されたトラフィック・データおよびシグナリングが得られる。
【００５５】
コントローラ／プロセッサ６４０、６９０は、ノードＢ１１０およびＵＥ１２０それぞれにおける動作を指示する。コントローラ／プロセッサ６９０は、図４における処理４００、および／または本明細書に記載の技術のためのその他の処理の実行および／または指示を行う。メモリ６４２およびメモリ６９２は、ノードＢ１１０およびＵＥ１２０それぞれのためのデータおよびプログラム・コードを格納する。信号測定ユニット６９４は、興味のあるおのおののセルの受信信号強度および／または受信信号品質を測定し、サービス提供セルおよび近隣セルの信号測定値を、コントローラ／プロセッサ６９０へ提供する。コントローラ／プロセッサ６９０は、例えば式（１）および式（２）に示すように、信号測定値およびセル再選択パラメータに基づいて、サービス提供セルおよび近隣セルのセル・ランキング・クライテリアを計算する。コントローラ／プロセッサ６９０は、セル・ランキング・クライテリアに基づいて決定された最良のセルへのセル再選択を実行する。スケジューラ６４４は、ダウンリンクおよび／またはアップリンクでの送信のためにＵＥをスケジュールし、スケジュールされたＵＥのリソースの割当を提供する。
【００５６】
当業者であれば、情報および信号が、種々異なる技術および技法のうちの何れかを用いて表されうることを理解するだろう。例えば、上記説明を通じて参照されるデータ、命令群、コマンド、情報、信号、ビット、シンボル、およびチップは、電圧、電流、電磁波、磁場または磁性粒子、光学場または光学微粒子、あるいはこれらの任意の組み合わせによって表されうる。
【００５７】
当業者であればさらに、本明細書で開示された実施形態に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方法で上述した機能を実現することができる。しかしながら、この適用判断は、本発明の範囲からの逸脱をもたらすものと解釈されるべきではない。
【００５８】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。
【００５９】
本明細書の開示に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術分野で知られているその他の型式の記憶媒体に収納されうる。典型的な記憶媒体（図示せず）は、プロセッサがそこから情報を読み取り、またそこに情報を書き込むことができるようにプロセッサに結合される。または、記憶媒体はプロセッサに統合されることができる。このプロセッサと記憶媒体とは、ＡＳＩＣ内に存在することができる。ＡＳＩＣは、ユーザ端末内に存在することもできる。あるいはこのプロセッサと記憶媒体とは、ユーザ端末内のディスクリート部品として存在することができる。
【００６０】
１または複数の典型的な設計では、記載された機能は、ハードウェア、ソフトウェア、ファームウェア、またはこれらの任意の組み合わせで実施されうる。ソフトウェアで実現される場合、これらの機能は、格納されているか、あるいは、１または複数の命令によって送信されるか、あるいは、コンピュータ読取可能媒体上のコードでありうる。コンピュータ読取可能媒体は、ある場所から別の場所へのコンピュータ・プログラムの転送を容易にする任意の媒体を含むコンピュータ格納媒体および通信媒体の両方を含む。記憶媒体は、汎用コンピュータまたは特別用途のコンピュータによってアクセス可能なあらゆる利用可能な媒体でありうる。限定ではなく、一例によって、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、所望のプログラム・コードを命令群またはデータ構造の形態で搬送または格納するために使用され、汎用コンピュータまたは特別用途のコンピュータ、あるいは汎用プロセッサまたは特別用途のプロセッサによってアクセス可能なその他任意の媒体を備えうる。また、あらゆる接続が、コンピュータ読取可能媒体と適切に称される。例えば、同軸ケーブル、光ファイバ・ケーブル、ツイスト・ペア、デジタル加入者線（ＤＳＬ）、あるいは、例えば赤外線、ラジオ、およびマイクロ波のような無線技術を使用して、ソフトウェアが、ウェブサイト、サーバ、あるいはその他の遠隔ソースから送信される場合、同軸ケーブル、光ファイバ・ケーブル、ツイスト・ペア、ＤＳＬ、あるいは、例えば赤外線、ラジオ、およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、ＤＶＤ、フロッピー（登録商標）ディスク、およびブルーレイ・ディスクを含む。一般に、ｄｉｓｋは、データを磁気的に再生し、ｄｉｓｃは、レーザを用いてデータを光学的に再生する。上述したものの組み合わせもまた、コンピュータ読取可能媒体の範囲内に含まれるべきである。
【００６１】
本開示の上記記載は、当業者をして、本開示の製造または利用を可能とするように提供される。これらの開示へのさまざまな変形例もまた、当業者には明らかであって、本明細書で定義された一般的な原理は、本発明の主旨または範囲から逸脱することなく他のバリエーションにも適用されうる。このように、本開示は、本明細書で示された例や設計に限定されるものではなく、本明細書で開示された原理および新規な特徴に一致した最も広い範囲に相当することが意図されている。
【図１】
2010536253.tif 000003
【図２】
2010536253.tif 000004
【図３】
2010536253.tif 000005
【図４】
2010536253.tif 000006
【図５】
2010536253.tif 000007
【図６】
2010536253.tif 000008
【国際調査報告】
2010536253.tif 000009
2010536253.tif 000010